(57)【特許請求の範囲】
【請求項１】
構造物の開放された床面上の空間に設置される止水板と、
前記止水板を前記床面に固定するための第１バンドと、
前記床面の前記止水板の設置位置近くに取り付けられる少なくとも１つの第１バンド通し具と、を備え、
前記止水板には、少なくとも１つの第２バンド通し具が設けられ、
前記第１バンドは、前記止水板に対して前記床面への押付力が作用するように前記第１バンド通し具及び前記第２バンド通し具に巻き付けられる止水装置。
【請求項２】
前記空間の横幅を画定する左右の柱又は壁にそれぞれ取り付けられる第３バンド通し具と、
前記止水板を前記柱又は壁に固定するための第２バンドと、をさらに備え、
前記止水板には、左右一対の第４バンド通し具が設けられ、
前記第２バンドは、前記止水板に対して前記柱又は壁への押付力が作用するように前記第３バンド通し具及び前記第４バンド通し具に巻き付けられる請求項１に記載の止水装置。
【請求項３】
前記第２バンド通し具は、前記止水板に上下一対設けられ、
前記第１バンドは、上下の前記第２バンド通し具の間で略垂直となるように前記第１バンド通し具及び前記第２バンド通し具に巻き付けられる請求項１又は２に記載の止水装置。
【請求項４】
前記第１バンド通し具は前記床面の前記止水板の設置位置よりも構造物側に取り付けられ、
前記止水板は、前記柱又は壁に、構造物とは反対側の面で支持される請求項３に記載の止水装置。
【請求項５】
前記止水板には、前記第２バンド通し具の下方に板面から突き出る突起が設けられており、
前記第１バンドは、前記突起を乗り越えて前記突起及び前記第１バンド通し具の間で略垂直となるように前記第１バンド通し具及び前記第２バンド通し具に巻き付けられる請求項１又は２に記載の止水装置。
【請求項６】
前記床面と前記止水板との間には、順に緩衝材、コーキング材、パッキン材及びコーキング材が介在する請求項１〜５のいずれかに記載の止水装置。
【請求項７】
前記止水板は、複数の板材を連ねてなり、
隣接する前記板材の一方の端面には凸部が形成されるとともに他方の端面には前記凸部が係合する凹溝が形成され、
隣接する前記板材の境界には、止水テープが貼り付けられる請求項１〜６のいずれかに記載の止水装置。
【請求項８】
前記止水板は、複数の板材を枠材を介して連ねてなり、
前記枠材は、隣接する前記板材の一方の一側縁が接着層を介して嵌め込まれる第１凹溝と、隣接する前記板材の他方の一側縁が接着層を介して嵌め込まれる第２凹溝とを有し、
隣接する前記板材の境界には、止水テープが貼り付けられる請求項１〜６のいずれかに記載の止水装置。
【請求項９】
前記止水板は、隣接する前記板材に跨る補部材をさらに備え、
隣接する前記板材には、前記補強材を支持する受け部が設けられている請求項７又は８に記載の止水装置。
【発明の詳細な説明】
【技術分野】
【０００１】
本発明は、家屋、ビル、地下鉄、地下道等の構造物において、洪水時に出入口等の開放された床面上の空間より水が流入しないように前記空間内の所定の位置で水を堰き止めるための止水装置に関し、特に、既設の構造物に対しても容易に設置できる止水装置に関する。
【背景技術】
【０００２】
従来、豪雨等により地表の水かさが増すと、建築物の玄関等の出入口から建築物内に水が浸入するおそれがある。そのため、建築物内への水の浸入を防ぐために、開口間口に土嚢を積み、その上に防水シートなどをかけて簡易な防水設備を設けることが従来から行われている。
【０００３】
しかし、土嚢の持ち運び作業や土嚢と積み重ねる作業は多大な労力と時間を費やし、緊急時の対策としては作業性に問題があるばかりでなく、特に女性や高齢の老人等が作業を行うのは困難である。また、土嚢の中に詰める土を急に入手することは困難である一方で、予め土を詰めた土嚢を準備しておくと、土嚢を保管するスペースに困る。さらに、使用後における土嚢の処分等も大変である。
【０００４】
そこで、建築物の出入口等に設置できる種々の止水装置が提案されている（例えば、特許文献１参照）。 特許文献１に記載の止水装置は、建築物の出入口の床面上に接地板を載置し、その接地板の両端部に固着された両側のレール材に止水板の両端部を嵌入しながら止水板を落とし込んだ後、第１の加圧装置を操作して止水板を下方へ押し付けて接地板との間のパッキング材を圧縮変形させるとともに、第２の加圧装置を操作して止水板を前方へ押し付けてレール材との間のパッキング材を圧縮変形させ、これにより、止水板と接地板との間および止水板とレール材との間を水密状態にしている。
【先行技術文献】
【特許文献】
【０００５】
【特許文献１】特開２００５−３２９７５９号公報
【発明の概要】
【発明が解決しようとする課題】
【０００６】
しかし、特許文献１に記載の止水装置は、接地板とレール材とが溶接等により一体化されているため、未使用時の保管にスペースをとるうえ、組立・解体時の取扱いに不便である。また、組立に際しては、第１、第２の各加圧装置を操作する必要があり、組立作業も容易でない。
【０００７】
本発明は、上記課題に着目してなされたものであり、短時間かつ容易に設置することができ、確実に防水することができ、さらに、未使用時の保管スペースを広くとらない止水装置を提供することを目的とする。
【課題を解決するための手段】
【０００８】
本発明の前記目的は、構造物の開放された床面上の空間に設置される止水板と、前記止水板を前記床面に固定するための第１バンドと、前記床面の前記止水板の設置位置近くに取り付けられる少なくとも１つの第１バンド通し具と、を備え、前記止水板には、少なくとも１つの第２バンド通し具が設けられ、前記第１バンドは、前記止水板に対して前記床面への押付力が作用するように前記第１バンド通し具及び前記第２バンド通し具に巻き付けられる止水装置により達成される。
【０００９】
上記構成の止水装置において、前記空間の横幅を画定する左右の柱又は壁にそれぞれ取り付けられる第３バンド通し具と、前記止水板を前記柱又は壁に固定するための第２バンドと、をさらに備え、前記止水板には、左右一対の第４バンド通し具が設けられ、前記第２バンドは、前記止水板に対して前記柱又は壁への押付力が作用するように前記第３バンド通し具及び前記第４バンド通し具に巻き付けられることが好ましい。
【００１０】
この実施態様では、前記第２バンド通し具は、前記止水板に上下一対設けられ、前記第１バンドは、上下の前記第２バンド通し具の間で略垂直となるように前記第１バンド通し具及び前記第２バンド通し具に巻き付けられることがより好ましく、さらに、前記第１バンド通し具は前記床面の前記止水板の設置位置よりも構造物側に取り付けられ、前記止水板は、前記柱又は壁に、構造物とは反対側の面で支持されることがより好ましい。
【００１１】
一方で、上記好ましい実施態様においては、前記止水板には、前記第２バンド通し具の下方に板面から突き出る突起が設けられており、前記第１バンドは、前記突起を乗り越えて前記突起及び前記第１バンド通し具の間で略垂直となるように前記第１バンド通し具及び前記第２バンド通し具に巻き付けられていてもよい。
【００１２】
また、上記構成の止水装置において、前記床面と前記止水板との間には、順に緩衝材、コーキング材、パッキン材及びコーキング材が介在することが好ましい。
【００１３】
また、上記構成の止水装置において、前記止水板は、複数の板材を連ねてなり、隣接する前記板材の一方の端面には凸部が形成されるとともに他方の端面には前記凸部が係合する凹溝が形成され、隣接する前記板材の境界には、止水テープが貼り付けられていてもよい。また、前記止水板は、複数の板材を枠材を介して連ねてなり、前記枠材は、隣接する前記板材の一方の一側縁が接着層を介して嵌め込まれる第１凹溝と、隣接する前記板材の他方の一側縁が接着層を介して嵌め込まれる第２凹溝とを有し、隣接する前記板材の境界には、止水テープが貼り付けられていてもよい。
【００１４】
この実施態様では、前記止水板は、隣接する前記板材に跨る補部材をさらに備え、隣接する前記板材には、前記補強材を支持する受け部が設けられていることが好ましい。
【発明の効果】
【００１５】
本発明の止水装置によれば、短時間かつ容易に設置することができ、確実に防水することができる。加えて、未使用時の保管スペースも省スペース化することができる。
【図面の簡単な説明】
【００１６】
【図１】本発明の一実施形態に係る止水装置の正面図である。
【図２】止水装置を斜め上側後方から見た斜視図である。
【図３】建築物の出入口の正面図である。
【図４】止水板の背面図である。
【図５】ベルトの斜視図である。
【図６】出入口に止水装置を設置する手順を示す正面図である。
【図７】出入口に止水装置を設置する手順を示す正面図である。
【図８】出入口に止水装置を設置する手順を示す正面図である。
【図９】出入口に止水装置を設置する手順を示す正面図である。
【図１０】出入口に止水装置を設置する手順を示す背面図である。
【図１１】本発明の他の実施形態に係る止水装置の斜め上側前方から見た斜視図である。
【図１２】建築物の出入口の正面図である。
【図１３】止水板の正面図である。
【図１４】出入口に止水装置を設置する手順を示す正面図である。
【図１５】出入口に止水装置を設置する手順を示す正面図である。
【図１６】止水板の変形例を示す正面図である。
【図１７】（ａ）（ｂ）ともに本体部に対して補助部をスライド可能に取り付ける例の概略構成を示す要部拡大平面図である。
【図１８】止水板の変形例を示す図であり、（ａ）正面図、（ｂ）要部拡大平面図である。
【図１９】止水板の変形例を示す図であり、（ａ）正面図、（ｂ）要部拡大平面図である。
【発明を実施するための形態】
【００１７】
以下、本発明の実施形態について添付図面を参照して説明する。図１及び図２は、本発明の一実施形態に係る止水装置１を示している。図１及び図２において、Ｓは構造物の開放された床面（設置面）上の空間、例えば、建築物の出入口を示すもので、１０は水を堰き止める位置の床面（設置面）を、１１，１２は水を堰き止める空間（出入口）Ｓを画定する左右の柱又は壁（以下、「壁等」という。）を、それぞれ示している。なお、図１及び図２において、平時に空間（出入口）Ｓを閉じる扉、戸、シャッター等は図示を省略している。本実施形態の止水装置１は、例えば、建築物の出入口より建築物内に水が流入しないように出入口の所定の位置で水を堰き止めるものであるが、本発明は、建築物の出入口に限らず、地下鉄や地下道の出入口等にも適用することができる。
【００１８】
本実施形態の止水装置１は、建築物の出入口Ｓに設置される止水板２と、止水板２を設置面１０に固定するための第１バンド３と、止水板２を壁等１１，１２に固定するための第２バンド４と、出入口Ｓ近くの設置面１０に取り付けられる少なくとも１つの第１バンド通し具５と、出入口Ｓを画定する左右の壁等１１，１２にそれぞれ取り付けられる第３バンド通し具７とを備える。また、止水板２には、少なくとも１つの第２バンド通し具６が設けられるとともに、左右一対の第４バンド通し具８が設けられている。
【００１９】
第１バンド通し具５は、図２及び図３に示すように、設置面１０の止水板２を設置する箇所の近くに、例えばネジやボルトなどを用いて固定される。第２バンド通し具６は、図２及び図４に示すように、止水板２の一方の板面（一方面）に、例えばネジやボルトなどを用いて固定される。第３バンド通し具７は、図２及び図３に示すように、左右の壁等１１，１２の一面（図示例では互いに対向する内面）の止水板２を設置する箇所の近くに、例えばネジやボルトなどを用いて固定される。第４バンド通し具８は、図２及び図４に示すように、止水板２の一方面に、例えばネジやボルトなどを用いて固定される。
【００２０】
本実施形態では、第１バンド通し具５は、出入口Ｓよりも後方側（建築物側）の設置面１０に、前後方向に間隔をあけて２つ並ぶようにして設けられる。第２バンド通し具６は、止水板２の建築物に面する側の板面に上下一対設けられ、第１バンド３は、上下の第２バンド通し具６の間では略垂直に延びる。第４バンド通し具８は、止水板２の建築物に面する側の板面に、上下方向では一対の第２バンド通し具６の間に位置し、左右方向では一対の第２バンド通し具６の外側に位置するようにして設けられる。第３バンド通し具７は、壁等１１，１２の内面に、止水板２の第４バンド通し具８よりも下方に位置するようにして設けられる。
【００２１】
各バンド通し具５〜８は、例えば金属製であり、各箇所への固定に用いられる平板部と、バンド３，４が通される挿通部とからなる。挿通部は、例えばＵ字形、コ字形、円形、三角形など、バンド３，４を通す開口を有していればその形状は特に限定されるものではない。このようなバンド通し具５〜８は、市販されているものを用いることができる。なお、図示例では、第１バンド通し具５は、設置面１０上に固定されているが、例えば、設置面１０に凹所（図示せず）を形成しておき、凹所内に第１バンド通し具５を固定するようにしてもよい。そして、常時はカバー（図示せず）により前記凹所を塞ぐことで第１バンド通し具５を外からは視認できないようにし、使用時に前記カバーを開けて第１バンド通し具５を露出させると、設置面１０の外観を良くすることができる。また、第３バンド通し具７についても、壁等１１，１２の一面に同様に凹所（図示せず）を形成し、凹所内に第３バンド通し具７を固定するようにしてもよい。
【００２２】
止水板２は、図２及び図４に示すように、本実施形態では横に長い長方形状である。止水板２としては、例えば木材を用いることができるが、軽量化のためには、例えばプラスチック製としかつ内部を中空のものとしてもよい。なお、この場合には、内部及び／又は外部の適所にリブを設けるなどして強度を高めることが望ましい。また、ポリエチレン等の圧縮に強い発泡剤を芯材としかつ芯材の表裏両面に金属製や木製の化粧板を接着剤等により貼着したものを用いることで、止水板２の強度を維持しつつ軽量化してもよい。
【００２３】
止水板２は、設置面１０に支持されるとともに、壁等１１，１２の建築物とは反対側の面で支持されている。止水板２は、設置面１０との間に、設置面１０側から順に、緩衝材１３及びパッキン材１４が全長にわたり敷設された状態で、設置されている。
【００２４】
緩衝材１３は、例えば藁などを例示することができ、緩衝材１３が止水板２と設置面１０との間に介在することで、後述するように第１バンド３で止水板２を設置面１０に押し付けたとしても、設置面１０が傷つくことなどが防止される。一方で、パッキン材１４は、例えばゴムなどの弾性体の他、フェルト類やスポンジ類を例示することができ、パッキン材１４が止水板２と設置面１０との間に介在することで、第１バンド３で止水板２を設置面１０に押し付けることによりパッキン材１４が圧縮変形し、これにより止水板２と設置面１０との間が水密状態となる。
【００２５】
また、緩衝材１３及びパッキン材１４、さらには、パッキン材１４及び止水板２の間には、十分な量のコーキング材１５が塗布され、それぞれの間の隙間がコーキング材１５により埋められる。これにより、止水板２と設置面１０との間をより水密な状態としている。コーキング材１５は、市販されている建築用のもの（例えばセメダイン株式会社製の「セメダインポリコーク」）を用いることができる。
【００２６】
また、止水板２は、左右の壁等１１，１２との間にも、壁等１１，１２側から順に、緩衝材１３及びパッキン材１４が全長にわたり敷設された状態で、支持されている。緩衝材１３及びパッキン材１４が止水板２と壁等１１，１２との間に介在することで、同様に、止水板２を壁等１１，１２に押し付けたとしても壁等１１，１２が傷つくことなどが防止され、かつ、止水板２と壁等１１，１２との間を水密状態とすることができる。また、緩衝材１３及びパッキン材１４、さらには、パッキン材１４及び止水板２の間にも、同様に、十分な量のコーキング材１５が塗布され、それぞれの間の隙間がコーキング材１５により埋められることで、止水板２と壁等１１，１２との間をより水密な状態とすることができる。
【００２７】
止水板２の大きさとしては、特に限定されるものではなく、出入口の大きさ（縦幅・横幅）に応じて設計することができ、例えば、縦幅を５０ｃｍ〜９０ｃｍ、横幅を１００ｃｍ〜２００ｃｍとすることができる。
【００２８】
第１バンド３は、図２に示すように、設置面１０の第１バンド通し具５及び止水板２の第２バンド通し具６に巻き付けられる。第１バンド３は、止水板２に対して設置面１０への押付力を作用させるものであり、これにより、止水板２は設置面１０に密着・固定される。本実施形態では、第２バンド通し具６が止水板２に上下一対設けられ、第１バンド３が上下の第２バンド通し具６の間で略垂直となるように第１バンド通し具５及び第２バンド通し具６に巻き付けられるので、止水板２に対して鉛直下向きの押付力が効果的に作用し、止水板２を設置面１０に強く密着・固定することができる。なお、第２バンド通し具６は、止水板２に必ずしも上下一対設けられる必要はなく、１つであっても止水板２に対して鉛直下向きの押付力を作用させることができる。
【００２９】
加えて、第１バンド３が、止水板２の後方の第１バンド通し具５に巻き付けられていることから、止水板２には後方の壁等１１，１２に対しても押付力が作用する。これにより、止水板２は壁１１，１２にも密着・固定される。そのうえ、第２バンド４が、図２に示すように、壁等１１，１２の第３バンド通し具７及び止水板２の第４バンド通し具８に巻き付けられて、第２バンド４が止水板２に対して壁等１１，１２への押付力を作用させることから、止水板２に対して水平内向きの押付力が効果的に作用し、止水板２を壁等１１，１２に強く密着・固定することができる。なお、第１バンド通し具５は、設置面１０に必ずしも前後一対設けられる必要はなく、１つであっても止水板２に対して鉛直下向き及び水平内向きの押付力を作用させることができる。
【００３０】
第１バンド３及び第２バンド４は、ある程度の長さを有する長尺物であれば、紐状であってもよいし、幅のあるベルト状（帯状）であってもよく、また、伸縮性を有していてもよいし、伸縮性を有していなくてもよい。このようなバンド３，４としては、例えば図５に示す旅行用のスーツケースに巻くためのものとして市販されているスーツケースバンド（スーツケースベルト）を好適に用いることができる。
【００３１】
この種のスーツケースバンドは、バンドＢの一端部に２枚の四角カン（金具）Ｍ１，Ｍ２が備えられており、バンドＢを、バンドＢの他端部から各バンド通し具に通して１巻きし、バンドの他端部を１枚目及び２枚目の四角カンＭ１，Ｍ２の中に通す。そして、バンドＢを折り返し、バンドの他端部を１枚目の四角カンＭ１と２枚目の四角カンＭ２との間から１枚目の四角カンＭ１の中に通して、強くバンドＢを引くことで、簡単にバンドＢの緩みを抑制しながらバンドを各バンド通し具に巻き付けることができる。このとき、折り返したバンドＢの他端部を固定するための固定手段をバンドＢに設けておくと、バンドＢの緩みを確実に防止することができる。
【００３２】
次に、上記構成の止水装置１を設置する方法について説明する。まず、図６に示すように、設置面１０の止水板２を設置する箇所に、全長にわたって、藁などの緩衝材１３を敷設する。緩衝材１３は、両端を例えばガムテープ等で設置面１０に貼り付けることで、設置面１０に固定できる。また、壁等１１，１２の止水板２が当たる箇所にも、全長にわたって、藁などの緩衝材１３を敷設する。緩衝材１３は、同様に両端を例えばガムテープ等で壁等１１，１２に貼り付けることで、壁等１１，１２に固定できる。
【００３３】
次に、図７に示すように、設置面１０及び壁等１１，１２の緩衝材１３上にコーキング材１５を塗布する。コーキング材１５は、設置面１０と壁等１１，１２との角の部分に特に十分に塗布することが好ましい。
【００３４】
次に、図８に示すように、コーキング材１５が塗布された緩衝材１３上に、ゴムシート等のパッキン材１４を粘着剤、接着剤、粘着テープ等で貼り付ける。このとき、設置面１０と壁等１１，１２との角の部分に隙間ができるときは、隙間をコーキング材１５で埋めることが好ましい。そして、図９に示すように、パッキン材１４上に再度コーキング材１５を塗布した後、図１０に示すように、止水板２をコーキング材が塗布されたパッキン材１４上に載置する。
【００３５】
最後に、第１バンド３を第１バンド通し具５及び第２バンド通し具６に強く巻き付けるとともに、第２バンド４を第３バンド通し具７及び第４バンド通し具８に強く巻き付けることで、止水板２を設置面１０及び壁等１１，１２に固定する。
【００３６】
本実施形態の止水装置１によると、止水板２が第１バンド３及び第２バンド４により設置面１０及び左右の壁等１１，１２に対してそれぞれ強く密着・固定されるとともに、中間にコーキング材１５及びパッキン材１４を介在させているので、止水板２と設置面１０との間及び止水板２と壁等１１，１２との間は水密状態となる。よって、大雨等による洪水時に水が氾濫しても、出入口等の開放された床面上の空間Ｓより水が構造物内に流入することを良好に防止することができる。また、止水板２に水圧が作用しても、止水板２は壁等１１，１２により支持されるので、止水板２が設置面１０や壁等１１，１２より離脱するおそれはなく、耐久性にも優れている。
【００３７】
また、本実施形態の止水装置１によると、止水板２を第１バンド３及び第２バンド４により設置面１０及び左右の壁等１１，１２に固定することで設置できるので、組立・解体が容易であり、緊急時の迅速な対応が可能であるうえ、止水板２を軽量化することで組立・解体時の取り扱いも便利となる。さらに、止水板２の保管に広いスペースをとることがなく省スペース化できる。
【００３８】
また、本実施形態の止水装置１によると、止水板２、各バンド３，４、各バンド通し具５〜８、緩衝材１３、パッキン材１４及びコーキング材１５は、市販されているものを用いることができるので、必要材料を安価かつ簡単に入手することができる。
【００３９】
さらに、平時は、設置面１０の第１バンド通し具５及び壁等１１，１２の第３バンド通し具７を隠すように構成すれば、外観上、見栄えが悪くなることも防止できる。
【００４０】
以上、本発明の一実施形態について説明したが、本発明は上記実施形態に限定されるものではなく、その趣旨を逸脱しない限りにおいて、種々の変更が可能である。
【００４１】
例えば上記実施形態では、止水板２の構造物に面する側の板面に第２バンド通し具６及び第４バンド通し具８が設けられていたが、止水板２の構造物とは反対側の板面に第２バンド通し具６及び第４バンド通し具８が設けられていてもよい。
【００４２】
図１１は、本発明の他の実施形態に係る止水装置１を示している。なお、図１１に示す実施形態の止水装置１において、基本的な構成は上記実施形態と同様であり、同様の構成については同一の符号を付することで説明を省略する。
【００４３】
この実施形態では、まず、第１バンド通し具５は、図１１、図１２及び図１５に示すように、設置面１０の止水板２を設置する箇所の近くでありかつ出入口Ｓよりも前方側（構造物とは反対側）に１つ設けられる。第２バンド通し具６は、図１１、図１３及び図１５に示すように、止水板２の他方面（構造物と面しない側の板面）に１つ設けられる。第３バンド通し具７は、図１１、図１２及び図１５に示すように、左右の壁等１１，１２の外面の止水板２を設置する箇所の近くに設けられる。第４バンド通し具８は、図１１、図１３及び図１５に示すように、止水板２の他方面に左右方向で第２バンド通し具６の外側に位置するようにして設けられる。なお、第１バンド通し具５及び第３バンド通し具７ともに、上記実施形態と同様に、設置面１０や壁等１１，１２に凹所（図示せず）を形成して凹所内に固定するようにしてもよい。
【００４４】
止水板２は、図１１、図１３及び図１５に示すように、上記実施形態と同様に、設置面１０に支持されるとともに、壁等１１，１２の構造物とは反対側の面で支持されるとともに、設置面１０や壁等１１，１２との間に、緩衝材１３及びパッキン材１４が全長にわたり敷設された状態で、設置される。また、緩衝材１３及びパッキン材１４、さらには、パッキン材１４及び止水板２の間は、十分な量のコーキング材１５が塗布され、それぞれの間の隙間がコーキング材１５により埋められることで、水密な状態となっている。
【００４５】
また、止水板２には、他方面（構造物と面しない側の板面）において第２バンド通し具６の下方に、板面から突き出る突起２９が設けられている。この突起２９により、第１バンド通し具５及び第２バンド通し具６に巻き付けられる第１バンド３は、突起２９及び第１バンド通し具５の間で略垂直となり、止水板２に対して鉛直下向きの押付力を効果的に作用させるので、止水板２を設置面１０に強く密着・固定することができる。なお、止水板２の他方面には、第４バンド通し具８の外側にも、板面から突き出る突起３０が設けられており、第２バンド４はこの突起３０を乗り越えて第３バンド通し具７及び第４バンド通し具８に巻き付けられる。
【００４６】
また、第２バンド４が、壁等１１，１２の第３バンド通し具７及び止水板２の第４バンド通し具８に巻き付けられて、止水板２に対して壁等１１，１２方向への水平内向きの押付力を作用させることから、止水板２を壁等１１，１２に密着・固定することができる。
【００４７】
本実施形態の止水装置１も上記実施形態と同じ手順で設置することができる。つまりは、設置面１０の止水板２を設置する箇所及び壁等１１，１２の止水板２が当たる箇所に、図１４に示すように、全長にわたって、藁などの緩衝材１３を敷設し、次に、緩衝材１３上にコーキング材１５を塗布し、次に、コーキング材１５が塗布された緩衝材１３上に、ゴムシート等のパッキン材１４を貼り付け、次に、パッキン材１４上に再度コーキング材１５を塗布した後、図１５に示すように、止水板２をコーキング材が塗布されたパッキン材１４上に載置する。そして、第１バンド３を第１バンド通し具５及び第２バンド通し具６に強く巻き付けるとともに、第２バンド４を第３バンド通し具７及び第４バンド通し具８に強く巻き付けることで、止水板２を設置面１０及び壁等１１，１２に固定する。
【００４８】
また、本実施形態の止水装置１についても、上記実施形態と同様の作用・効果を奏する。つまりは、大雨等による洪水時に水が氾濫しても、出入口等の開放された床面上の空間Ｓより水が構造物内に流入することを良好に防止することができるうえ、止水板２に水圧が作用しても、止水板２は壁等１１，１２により支持されるので、止水板２が設置面１０や壁等１１，１２より離脱するおそれはなく、耐久性にも優れている。さらに、組立・解体が容易であり、緊急時の迅速な対応が可能であるうえ、止水板２を軽量化することで組立・解体時の取り扱いも便利となるうえ、止水板２の保管に広いスペースをとることもなく、省スペース化できる。また、必要材料を安価かつ簡単に入手できる。
【００４９】
また、上記したいずれの実施形態においても、止水板２を設置面１０に設置する際に、パッキン材１４を粘着剤、接着剤、粘着テープ等で設置面１０及び壁等１１，１２（具体的には緩衝材１３上）に貼り付けているが、これらのパッキン材１４を、間にコーキング材１５を介した状態で粘着剤、接着剤、粘着テープ等により予め止水板２の適当な箇所に貼り付けておいてもよい。この場合、設置面１０に対応して止水板２に貼り付けられるパッキン材１４と、壁等１１，１２に対応して止水板２に貼り付けられるパッキン材１４との間に隙間ができるときは、隙間をコーキング材１５で埋めることが好ましい。この実施形態では、設置面１０及び壁等１１，１２に緩衝材１３を敷設し、緩衝材１３上にコーキング材１５を塗布した後、パッキン材１４付きの止水板２をコーキング材が塗布された緩衝材１３上に載置することになる。
【００５０】
また、上記したいずれの実施形態においても、止水板２は伸縮可能に構成されていてもよい。例えば、図１６に示すように、止水板２が、本体部２Ａと、本体部２Ａの左右の両側縁から出没可能な補助部２Ｂとを有するように構成されていてもよい。補助部２Ｂは、本体部２Ａの左右の両側縁部に、左右方向にスライド自在に取り付けられることで、本体部２Ａの左右の両側縁から突き出たり退避したりして、止水板２が伸縮可能となる。止水板２を図１６に示すように伸長させるとき、本体部２Ａ及び補助部２Ｂの境界にガムテープ等の止水テープ２６を貼り付けることで、本体部２Ａ及び補助部２Ｂの境界から水が浸入することを防止できる。なお、本体部２Ａの左右一方の側縁部にのみ補助部２Ｂをスライド自在に取り付けることもできる。また、補助部２Ｂを本体部２Ａの左右の側縁部にスライド自在に取り付けられる方法としては、図１７（ａ）に示すように、本体部２Ａの左右の側縁部の端面に形成した凹所２Ｃに補助部２Ｂを収納して、凹所２Ｃから補助部２Ｂを引き出すように構成してもよいし、図１７（ｂ）に示すように、本体部２Ａの左右の側縁部に補助部２Ｂを重ねて配置して、補助部２Ｂを引き出すように構成してもよい。
【００５１】
また、上記したいずれの実施形態においても、止水板２は１枚の板材より構成されているが、止水板２が複数の板材を連ねて構成されていてもよい。
【００５２】
例えば止水板２を２枚の板材２０で構成する場合、例えば図１８に示すように、隣接する板材２０の一方の端面に凸部２１を形成しかつ他方の端面に凸部２１が係合する凹溝２２を形成し、凸部２１を凹溝２２に係合させることで、２枚の板材２０を、その端面同士を突き合わせて連ねることができる。このとき、一方の板材２０の端面及び凸部２１の表面にコーキング材１５を塗布するとともに、隣接する板材２０の境界にガムテープ等の止水テープ２６を貼り付けることで、隣接する板材２０の境界から水が浸入することを防止できる。なお、２枚以上の板材２０で止水板２を構成することもできる。また、板材２０を左右に連ねるだけでなく、上下に連ねて止水板２を構成することもできる。
【００５３】
また、例えば図１９に示すように、複数（図示例では２枚）の板材２０を枠材２３を介して連ねることもできる。枠材２３は、例えばＨ鋼などの金属製であり、隣接する板材２０の一方の一側縁が嵌め込まれる第１凹溝２４と、隣接する板材２０の他方の一側縁が嵌め込まれる第２凹溝２５とを有する。板材２０は、第１凹溝２４及び第２凹溝２５に接着剤、粘着剤、両面テープなどの接着層３１を介して嵌め込まれる。このとき、隣接する板材２０の境界にガムテープ等の止水テープ２６を貼り付けることで、隣接する板材２０の境界から水が浸入することを防止できる。なお、２枚以上の板材２０で止水板２を構成することもできる。また、板材２０を左右に連ねるだけでなく、上下に連ねて止水板２を構成することもできる。
【００５４】
止水板２を複数の板材２０で構成する場合には、隣接する板材２０に跨るようにして補部材２７を設け、補強材２７により止水板２の剛性を向上させることが好ましい。補強材２７は、例えば木製や金属製の棒状体であり、断面形状は矩形状や円形状など、種々の形状であってよい。板材２０には、補強材２７を支持するための断面視Ｌ字状あるいはコ字状の受け部２８が設けられ、補強材２７が止水板２を構成する板材２０に沿うことで、隣接する板材２０が容易に折れ曲がることを防止できるので、耐久性を向上できる。
【符号の説明】
【００５５】
１    止水装置
２    止水板
３    第１バンド
４    第２バンド
５    第１バンド通し具
６    第２バンド通し具
７    第３バンド通し具
８    第４バンド通し具
１３  緩衝材
１４  パッキン材
１５  コーキング材
２０  板材
２１  凸部
２２  凹溝
２３  枠材
２４  第１凹溝
２５  第２凹溝
２６  止水テープ
２７  補強材
２８  受け部
２９  突起
【要約】
【課題】短時間かつ容易に設置することができ、確実に防水することができる止水装置を提供する。
【解決手段】防水装置１は、止水板２と、止水板２を設置面１０に固定するための第１バンド３と、設置面１０の止水板２の設置位置近くに取り付けられる第１バンド通し具５と、出入口Ｓを画定する左右の壁等１１，１２にそれぞれ取り付けられる第３バンド通し具７と、止水板２を壁等１１，１２に固定するための第２バンド４とを備える。止水板２には、第２バンド通し具６及び第４バンド通し具８が設けられる。第１バンド３は、止水板２に対して設置面１０への押付力が作用するように第１バンド通し具５及び第２バンド通し具６に巻き付けられる。第２バンド４は、止水板２に対して壁等１１，１２への押付力が作用するように第３バンド通し具７及び第４バンド通し具８に巻き付けられる。
【選択図】図２【図１】
0005931307.tif 000002
【図２】
0005931307.tif 000003
【図３】
0005931307.tif 000004
【図４】
0005931307.tif 000005
【図５】
0005931307.tif 000006
【図６】
0005931307.tif 000007
【図７】
0005931307.tif 000008
【図８】
0005931307.tif 000009
【図９】
0005931307.tif 000010
【図１０】
0005931307.tif 000011
【図１１】
0005931307.tif 000012
【図１２】
0005931307.tif 000013
【図１３】
0005931307.tif 000014
【図１４】
0005931307.tif 000015
【図１５】
0005931307.tif 000016
【図１６】
0005931307.tif 000017
【図１７】
0005931307.tif 000018
【図１８】
0005931307.tif 000019
【図１９】
0005931307.tif 000020